(57)【要約】【目的】根腐れ等の地中傷害を防止すべく、大木であっても根茎を傷めることなく、且つ構成部材が樹木に食い込まない樹木養生構造及び樹木養生方法を提供する。【構成】樹木１の根とその周囲の土２とを一体に囲って形成した根鉢３の上部に固定フレーム４を載置すると共に、その固定フレーム４の内側に上記樹木１の幹５の周囲を囲むように固定板６を設け、上記固定フレーム４を固定アンカ７を介して地盤８に固定する。【選択図】　　　　図１
2004089037.tif 000002
【特許請求の範囲】
【請求項１】
樹木の根とその周囲の土とを一体に囲って形成した根鉢の上部に固定フレームを載置すると共に、その固定フレームの内側に上記樹木の幹の周囲を囲むように固定板を設け、上記固定フレームを固定アンカを介して地盤に固定することを特徴とする樹木養生構造。
【請求項２】
上記根鉢の下部に、地上に開口すると共に胴部に孔が形成されたパイプを設けた請求項１記載の樹木養生構造。
【請求項３】
上記固定板が取替可能で、上記樹木の成長に応じて固定板を小さいものに取り替える請求項１または２いずれかに記載の樹木養生構造。
【請求項４】
上記固定板がグレーチングにて構成され、そのグレーチング上に芝や草を植える請求項１から３いずれかに記載の樹木養生構造。
【請求項５】
樹木の根とその周囲の土とを一体に囲って根鉢を形成しておき、樹木を移植する位置に穴を形成し、その穴内に地上に開口すると共に胴部に孔が形成されたパイプを配置し、上記穴内のパイプ上に上記樹木を移動した後に、その樹木の根鉢上に固定フレームを載置し、この固定フレームを固定アンカを介して地盤に固定すると共に、上記固定フレームの内側に上記樹木の幹の周囲を囲むように固定板を設けたことを特徴とする樹木養生方法。
【請求項６】
上記固定板を、上記樹木の成長に応じて小さいものに取り替える請求項５記載の樹木養生方法。
【発明の詳細な説明】
【０００１】
【産業上の利用分野】
本発明は、街路樹等の樹木を支持して起立させる樹木養生構造及び樹木養生方法に関するものである。
【０００２】
【従来の技術】
樹木を支持して起立させる構造は、従来から様々なものがあった。その構造を以下に示す。
【０００３】
図５に示す樹木養生構造は、樹木５１の幹５２の上部にベルト５３を巻き付け、そのベルト５３にワイヤ５４の一端を接続すると共に、そのワイヤ５４の他端を地面５５に固定したアンカー５６に接続して、樹木５１を支持するように構成されている。ワイヤ５４は、樹木５１を中心とした均等な角度で、少なくとも３方向に放射状に延びるように設けられている。
【０００４】
図６に示す樹木養生構造は、樹木５１の根土５７の上部に鋳鉄板５８等を載置し、その板面の広さにより、根鉢にかかる踏圧を分散させるものである。鋳鉄板５８は、複数に分割されており、接続プレート５９とボルト６０にて互いに固定されている。
【０００５】
しかし、上述した図５に示す樹木養生構造では、ワイヤ５４が樹木５１の周囲に広がって設けられているため、歩行の邪魔になったり、外観が良くないといった問題があった。また、台風などの方向の異なる連続する風により樹木５１が回転して倒れることがあり、支柱構造としては必ずしも完璧ではなかった。さらに、樹木５１の成長に応じてベルト５３が幹５２に食い込んでしまうといった問題もあった。
【０００６】
一方、図６に示す樹木養生構造では、樹木５１の幹５２の近傍まで鋳鉄板５８を大きくして形成すると、樹木５１の成長に応じて鋳鉄板５８が幹５２に食い込んでしまっていた。
【０００７】
そこで、図５のワイヤ支柱及び図６のツリーサークルの問題を解決するために、図７に示すような樹木養生構造が案出されていた。この樹木養生構造は、樹木５１の根土部分を竹等の板材や麻等で構成された袋部材６１とロープ（図示せず）とで覆って、根鉢６２が形成されている。樹木５１の幹５２の周囲には無端状のベルト６３が設けられている。根鉢６２下部の地盤にはアンカ６４が固定され、そのアンカ６４とベルト６３との間に引張ベルト６５が架け渡されている。
【０００８】
引張ベルト６５には、ウインチ装置６７が設けられており、ベルト６３を放射状に引っ張るように複数配置されている。引張ベルト６５が、根鉢６２の上面周囲端部の肩部分６８の複数位置を下方に付勢することによって、樹木５１を支持するようになっている。なお、図中６９は、根鉢６２の崩れを防ぐための保護パットを示す。
【０００９】
【発明が解決しようとする課題】
しかしながら、上述した図７の樹木養生構造（パッケージ型地下支柱）では、引張ベルト６５で根鉢６２の肩部分６８を下方に付勢して、樹木５１を支持するようになっているので、根土を押し固める必要があった。特に、大木の場合には、根土を強く固める必要があるので、根の成長にともない、根鉢６２内で各部材に根が食い込み、根に傷害を与えてしまい、その傷から有害菌が侵入して、根腐れの発生等の問題が生じていた。
【００１０】
そこで、本発明は、上記課題を解決するために案出されたものであり、その目的は、根腐れ等の地中傷害を防止すべく、大木であっても根茎を傷めることなく、且つ構成部材が樹木に食い込まない樹木養生構造及び樹木養生方法を提供することにある。
【００１１】
【課題を解決するための手段】
上記目的を達成するために、請求項１の発明は、樹木の根とその周囲の土とを一体に囲って形成した根鉢の上部に固定フレームを載置すると共に、その固定フレームの内側に上記樹木の幹の周囲を囲むように固定板を設け、上記固定フレームを固定アンカを介して地盤に固定する樹木養生構造である。
【００１２】
上記構成によれば、根鉢の上部を、地盤に固定された固定フレームと固定板とで押さえて固定するようにしたので、広い面積で根鉢を押圧することとなる。従って、大木であっても従来のように根鉢を押し固める必要がなく、根茎を傷めることがないので、根腐れ等の地中傷害を防止することができる。
【００１３】
請求項２の発明は、上記根鉢の下部に、地上に開口すると共に胴部に孔が形成されたパイプを設けた樹木養生構造である。これによれば、根鉢の下部の通気性が良く、水はけがさらに良くなると共に、水、肥料、酸素の供給状態が良好となる。
【００１４】
請求項３の発明は、上記固定板が取替可能で、上記樹木の成長に応じて固定板を小さいものに取り替える樹木養生構造である。これによれば、固定板が樹木の幹に食い込むことはない。
【００１５】
請求項４の発明は、上記固定板がグレーチングにて構成され、そのグレーチング上に芝や草を植える樹木養生構造である。これによれば、外観が良好なものとなる。
【００１６】
請求項５の発明は、樹木の根とその周囲の土とを一体に囲って根鉢を形成しておき、樹木を移植する位置に穴を形成し、その穴内に地上に開口すると共に胴部に孔が形成されたパイプを配置し、上記穴内のパイプ上に上記樹木を移動した後に、その樹木の根鉢上に固定フレームを載置し、この固定フレームを固定アンカを介して地盤に固定すると共に、上記固定フレームの内側に上記樹木の幹の周囲を囲むように固定板を設けた樹木養生方法である。
【００１７】
請求項６の発明は、上記固定板を、上記樹木の成長に応じて小さいものに取り替える樹木養生方法である。
【００１８】
【発明の実施の形態】
以下本発明の好適な実施の形態を添付図面に基づいて詳述する。
【００１９】
図１は本発明に係る樹木養生構造の好適な実施の形態を示した斜視図、図２は本発明に係る樹木養生構造を形成する第一作業工程を示した斜視図、図３は本発明に係る樹木養生構造を形成する第二作業工程を示した斜視図、図４は本発明に係る樹木養生構造を形成する第三作業工程を示した斜視図である。
【００２０】
まず、樹木養生構造の構成を説明する。
【００２１】
図１に示すように、本発明に係る樹木養生構造は、樹木１の根（図示せず）とその周囲の土２とを一体に囲って根鉢３が形成されており、その根鉢３の上部に固定フレーム４が載置され、その固定フレーム４の内側に上記樹木１の幹５の周囲を囲むように固定板６が設けられ、且つ固定フレーム４が固定アンカ７を介して地盤８に固定されている。
【００２２】
根鉢３は、樹木１の移植時に、根の回りの土２を樹木１と共に、所定の大きさで掘り出し、麻等のように腐食して分解されて土に戻る材料からなる袋部材９で根土の下部及び側部を覆った後に、麻等からなるロープ（図示せず）で根土を巻いて形成されている。根鉢３は、略円柱状に形成されている。
【００２３】
根鉢３の上部に載置された固定フレーム４は、スチール製の角パイプにて構成されており、矩形或いは正方形状に形成されている。固定フレーム４は、Ｌ字状のコーナ部材１１と、隣り合うコーナ部材１１同士を接続する接続部材１２とで構成されており、互いに連結され任意の大きさで樹木１を囲繞するように構成されている。
【００２４】
コーナ部材１１は、その両端部に接続部材１２の内形と略同等の外形をした嵌合部（図示せず）を有しており、その嵌合部を筒状に形成された接続部材１２の内部に挿入して嵌合することによって、コーナ部材１１と接続部材１２とが固定され、固定フレーム４が形成される。接続部材１２は、その長さが樹木１の大きさに応じて決定されるものであり、樹木１の大きさに最適な大きさの固定フレーム４を提供することができる。
【００２５】
コーナ部材１１のコーナ下部には、固定アンカ７に接続されるワイヤ１８を掛止するための掛止部材１９が溶接接合されている。掛止部材１９は鉄筋等をＵ字状に曲げて形成されており、ワイヤ１８先端に設けられたフック等を掛止するようになっている。
【００２６】
固定アンカ７は、地中側先端に抵抗板（図示せず）を有しており、打ち込み時に地中でその抵抗板が展開することによって、引っ張りに対する抵抗力を得るようになっている。
【００２７】
固定フレーム４の内縁部には、固定板６を固定するためのアングル材（図４参照）が長手方向に沿って設けられている。このアングル材１４は、断面Ｌ字状に形成され、その一辺が固定フレーム４の下端部から内方に延出するように配置されている。アングル材１４は、コーナ部材１１と接続部材１２との接続部分で分割されており、コーナ部材１１及び接続部材１２にそれぞれ溶接にて取り付けられている。
【００２８】
各アングル材１４の両端部上面には、上方に延びるボルト１５が取り付けられている。固定板６の取付時にはアングル材１４の上部に固定板６を載せて、その上部にボルト１５が貫通する孔を備えたプレート１６を載せる。そして、プレート１６を貫通したボルト１５の先端にナット１７を螺合することによって、アングル材１４とプレート１６とで固定板６を挟んで、固定板６を固定フレーム４に固定するようになっている。
【００２９】
固定板６は、長方形状のグレーチングにて構成されており、４枚の固定板６を配設するようになっている。具体的には、固定板６はその長辺長さと短辺長さとを足した長さが固定フレーム４の一辺と同等の長さとなっており、その固定フレーム４の一辺に、一の固定板６の長辺と他の固定板６の短辺とが当接するように配置されている。すなわち、互いに隣接する一方の固定板６の短辺が、他方の固定板６の長辺に当接するようにして、４枚の固定板６を配設したことによって、その配設された固定板６の外形が、固定板６の長辺長さと短辺長さとを足した長さ（固定フレーム４の一辺の長さ）を一辺の長さとする正方形となる。また、外周から固定板６の短辺長さ内側には、固定板６の長辺長さから短辺長さを引いた長さを一辺の長さとする正方形の開口部２１が形成されている。この開口部２１内に樹木１が位置することとなる。
【００３０】
開口部２１の四隅の下部に、上方に延びるボルト（図示せず）が固定されたプレート（図示せず）を設け、その上部に上記ボルトが貫通する孔を備えたプレート２２を載せて、ナット２３をボルトに螺合することによって、図示しない下側のプレートとプレート２２とで固定板６を挟んで固定するようになっている。
【００３１】
根鉢３の下部には、地上に開口するパイプ２４が設けられている。パイプ２４は、可撓性を有しており、固定フレーム４のコーナ部に一端が開口し、その他端が固定フレーム４の対角線上のコーナ部に開口するように設けられている。パイプ２４には、全長に渡って複数の孔２５が形成されており、根鉢３側部及び下部の通気性を確保すると共に、端部の開口部から液状の肥料を供給する役目を有している。
【００３２】
また、パイプ２４は、樹木１の根が成長して、袋部材９から飛び出す時期（移設してから２〜３年後）には、分解されて土に戻る材料（例えば、紙や樹脂系材料）にて形成されている。これによって、土の有する通常の通気性や上部からの肥料の供給で十分に成長可能な樹木１となるまでは、通気性の確保及び地下での肥料の供給を行うことができ、成長の促進を図ることができる。一方、樹木１が成長した後は、パイプ２４が土に戻るので、根の成長を阻害することはない。
【００３３】
次に、上記構成の樹木養生構造を形成する作業工程である樹木養生方法を説明すると共に、その作用を説明する。
【００３４】
まず、図２に示すように、樹木を移植する位置に、根鉢３よりも若干大きい穴２６を掘削する。そして、その穴２６内に、全長に渡って複数の孔２５が形成された２本のパイプ２４を、その両端が地上に延出するように十字状に配置する。
【００３５】
次に、図３に示すように、穴２６内に根鉢３と一体の樹木１を移動させる。このとき、パイプ２４の各端部は、根鉢３の上面外周部よりも上方に延出するように、長めに形成されている。
【００３６】
その後、図４に示すように、根鉢３上に、固定フレーム４をその４つのコーナ部が略円形の根鉢３上面から突出するように載置する。固定フレーム４は、根鉢３の大きさに応じて接続部材１２の長さを設定することによって、最適な大きさにすることができる。固定フレーム４は、設置時には分割されており、樹木１を囲むように、コーナ部材１１の嵌合部（図示せず）を接続部材１２の内部に挿入して嵌合することによって、一体に形成する。
【００３７】
固定フレーム４の形成と同時に、各パイプ２４を根鉢３の外周部に湾曲させて、その各端部を固定フレーム４のコーナ部の内側に位置させておく。
【００３８】
その後、４枚の固定板６を、図１に示すように固定フレーム４内に配置し、アングル材１４の上部にプレート１６を載せて、ナット１７をボルト１５に螺合することによって、アングル材１４とプレート１６とで固定板６を挟んで固定フレーム４に固定する。そして、固定板６によって形成された開口部２１の四隅の下部に、上方に延びるボルトが固定されたプレート（図示せず）を設け、その上部にプレート２２を載せて、ナット２３をボルトに螺合することによって、図示しないプレートとプレート２２とで固定板６を挟んで固定する。
【００３９】
次に、固定フレーム４の四隅近傍の下部の地盤に固定アンカ７をそれぞれ打ち込んで固定し、各固定アンカ７にワイヤ１８の一端をそれぞれ掛止すると共に、これらワイヤ１８の他端を固定フレーム４の掛止部材１９にそれぞれ掛止する。
【００４０】
そして、パイプ２４の端部を固定板６の上端面に合わせて切断する。その後、固定板６上に人工土（顆粒状）や土を敷設し、芝や草等を植える。なお、人工土は、パイプ２４の開口部分は避けて敷設する。
【００４１】
以上のように、固定アンカ７及びワイヤ１８を介して固定フレーム４を地盤に固定することによって、固定フレーム４及び固定板６が、根鉢３を下方に付勢するようになる。このように、固定フレーム４と固定板６全体で根鉢３を固定するので、広い面積で根鉢３を押圧できる。従って、根鉢３にかかる、踏圧を低減することができ、単位面積当たりの荷重が小さくなるので、樹木１が大木であっても、従来のように根鉢３を押し固める必要はなく、根鉢３内の水はけが良くなると共に、根が成長しても構成部材に食い込むことがなく、図７のパッケージ型地下支柱のように樹木１を傷付けることがないので、有害菌が侵入することもない。よって、根腐れ等の地中傷害を防止することができる。
【００４２】
さらに、根鉢３の側部から下部に、孔２５を備えたパイプ２４を地上に開口するように設けているので、根鉢３の下部の通気性が良好で水はけがさらに良くなる。また、パイプ２４を通して、水や肥料を供給すれば、根の下部からも水や肥料を与えることができ、バランスの良い水や肥料の供給を行うことができる。このように、根鉢３の下部から水や肥料、さらには酸素を供給できるので、根が地上側へ伸びず、健全に地下に向かって深く伸び、樹木１の安定度が増す。また、パイプ２４を介して地下部の状態を継続的にチェックすることもでき、適切な処置を適時に行うことができる。
【００４３】
また、固定フレーム４に、アングル材１４、ボルト１５、プレート１６，２２及びナット１７，２３を介して固定板６を固定しているので、固定板６の取替が容易に可能である。
【００４４】
これによって、樹木１の成長に応じて、固定板６を小さいものに交換して、開口部２１が大きいものとすることができる。具体的には、固定板６を、長辺長さが所定長さ長く、短辺長さが同等の所定長さ短いものに交換する。これによって、開口部２１が大きくなるので、樹木１の幹５が太くなっても、幹５に固定板６が食い込むことはない。
【００４５】
なお、この固定板６の交換は、その長辺長さと短辺長さとを足した長さが固定フレーム４の一辺と同等の長さとなるといった条件を満たしていればよい。
【００４６】
また、固定板６をグレーチングにて構成しているので、水の流れと通気性が良く、根腐れの防止効果が向上すると共に、その上部に顆粒状の人工土を敷設して芝や草等を植えた際に当該芝や草の根の発育が良好となる。
【００４７】
そして、芝や草等を植えたことによって、固定フレーム４や固定板６が隠れるので、外観が非常に良好なものとなる。
【００４８】
【発明の効果】
以上要するに本発明によれば、大木であっても根茎を傷めることなく、且つ構成部材が樹木に食い込まないので、根腐れ等の地中傷害を防止できるといった優れた効果を発揮する。
【００４９】
さらに、外観を良好なものとすることができる。
【図面の簡単な説明】
【図１】本発明に係る樹木養生構造の好適な実施の形態を示した斜視図である。
【図２】本発明に係る樹木養生構造を形成する第一作業工程を示した斜視図である。
【図３】本発明に係る樹木養生構造を形成する第二作業工程を示した斜視図である。
【図４】本発明に係る樹木養生構造を形成する第三作業工程を示した斜視図である。
【図５】従来の樹木養生構造を示した側面図である。
【図６】従来の他の樹木養生構造を示した斜視図である。
【図７】従来のさらに他の樹木養生構造を示した斜視図である。
【符号の説明】
１　樹木
２　土
３　根鉢
４　固定フレーム
５　幹
６　固定板
７　固定アンカ
８　地盤
２４　パイプ
２５　孔
【図１】
2004089037.tif 000003
【図２】
2004089037.tif 000004
【図３】
2004089037.tif 000005
【図４】
2004089037.tif 000006
【図５】
2004089037.tif 000007
【図６】
2004089037.tif 000008
【図７】
2004089037.tif 000009